(57)【要約】  下り制御情報の送信方法、ブラインド検出方法、基地局及び端末装置が提供され、該下り制御情報の送信方法は、基地局が、キャリアセグメントを構成している端末装置の下り制御情報のビット長と、キャリアセグメントを構成していない端末装置の同じフォーマットの下り制御情報のビット長とが同じになるよう、下り制御情報を生成し；基地局が、制御チャネルの共通サーチスペースにおいて、キャリアセグメントを構成している端末装置に、前記下り制御情報を送信することを含み、或いは、基地局が、制御チャネルの共通サーチスペースにおいて、キャリアセグメントを構成している端末装置に、対応するユーザ専用下り制御情報を送信せず、ユーザ専用サーチスペースにおいて、ユーザ専用下り制御情報を送信することを含む。
2014531836.tif 000002
【特許請求の範囲】
【請求項１】
下り制御情報の送信方法であって、
キャリアセグメントを構成している端末装置の下り制御情報中のリソース割り当てフィールドのビット長と、キャリアセグメントを構成していない端末装置の下り制御情報中のリソース割り当てフィールドのビット長とが等しくないとき、前記方法は、
基地局が、キャリアセグメントを構成している端末装置の下り制御情報のビット長と、キャリアセグメントを構成していない端末装置の同じフォーマットの下り制御情報のビット長とが等しくなるよう、下り制御情報を生成し；及び
前記基地局が、制御チャネルの共通サーチスペースにおいて、キャリアセグメントを構成している端末装置に、前記下り制御情報を送信し、そのうち、前記下り制御情報は、共通下り制御情報又はユーザ専用下り制御情報である、ことを含む、方法。
【請求項２】
請求項1にに記載の方法であって、
前記基地局は、独立キャリアのバンド幅に基いて、キャリアセグメントを構成している端末装置の下り制御情報中のリソース割り当てフィールドのビット長を確定する、方法。
【請求項３】
請求項1に記載の方法であって、
キャリアセグメントを構成している端末装置の下り制御情報がユーザ専用下り制御情報であるとき、前記基地局がパッデングビットを削除する方式で前記下り制御情報を生成する、方法。
【請求項４】
請求項3に記載の方法であって、
前記基地局がパッデングビットを削除する方式で前記下り制御情報を生成することは、
前記基地局が、独立キャリアのバンド幅及び構成されているキャリアセグメントのバンド幅に基いて前記下り制御情報中のリソース割り当てフィールドのビット長を確定し；
キャリアセグメントを構成している端末装置の下り制御情報中のリソース割り当てフィールドのビット長と、キャリアセグメントを構成していない端末装置の同じフォーマットの下り制御情報中のリソース割り当てフィールドのビット長との差を確定し；及び
前記差に対応する数のパッデングビットを削除することで前記下り制御情報を生成することを含む、方法。
【請求項５】
ブラインド検出方法であって、
キャリアセグメントを構成している端末装置の下り制御情報中のリソース割り当てフィールドのビット長と、キャリアセグメントを構成していない端末装置の下り制御情報中のリソース割り当てフィールドのビット長とが等しくないとき、前記方法は、
キャリアセグメントを構成している端末装置が、下り制御情報の生成方法に基いて、制御チャネルの共通サーチスペースにおいて、対応する下り制御情報を検出することを含み、
前記下り制御情報は、基地局が所定方法に基いて生成したものであり、キャリアセグメントを構成している端末装置の下り制御情報のビット長と、共通サーチスペースのキャリアセグメントを構成していない端末装置の同じフォーマットの下り制御情報のビット長とが等しくなるようにさせる、方法。
【請求項６】
請求項5に記載の方法であって、
前記下り制御情報は、基地局が独立キャリアのバンド幅に基づて前記下り制御情報中のリソース割り当てフィールドのビット長を確定する方式、又は、前記下り制御情報がユーザ専用の下り制御情報であるときに、パッデング冗長ビットを削除する方式で、生成される、方法。
【請求項７】
基地局であって、
キャリアセグメントを構成している端末装置の下り制御情報中のリソース割り当てフィールドのビット長と、キャリアセグメントを構成していない端末装置の下り制御情報中のリソース割り当てフィールドのビット長とが等しくないとき、前記基地局は、
キャリアセグメントを構成している端末装置の下り制御情報のビット長と、キャリアセグメントを構成していない端末装置の同じフォーマットの下り制御情報のビット長とが等しくなるよう、下り制御情報を生成する第一情報生成ユニット；及び
制御チャネルの共通サーチスペースにおいて、キャリアセグメントを構成している端末装置に、前記下り制御情報を送信する第一情報送信ユニットであって、前記下り制御情報は、共通下り制御情報又はユーザ専用の下り制御情報である、第一情報送信ユニットを含む、基地局。
【請求項８】
請求項7に記載の基地局であって、
キャリアセグメントを構成している端末装置の下り制御情報中のリソース割り当てフィールドのビット長は、独立キャリアのバンド幅に基いて確定される、基地局。
【請求項９】
請求項7に記載の基地局であって、
キャリアセグメントを構成している端末装置の下り制御情がユーザ専用下り制御情報であるときに、前記第一情報生成ユニットは、パッデングビットを削除する方式で前記下り制御情報を生成するために用いらる、基地局。
【請求項１０】
請求項9に記載の基地局であって、
前記第一情報生成ユニットは、
独立キャリアのバンド幅及び構成されているキャリアセグメントのバンド幅に基いて、キャリアセグメントを構成している端末装置の下り制御情報中のリソース割り当てフィールドのビット長を確定する確定ユニット；
キャリアセグメントを構成している端末装置の下り制御情報中のリソース割り当てフィールドのビット長と、キャリアセグメントを構成していない端末装置の同じフォーマットの下り制御情報中のリソース割り当てフィールドのビット長との差を計算する計算ユニット；及び
前記差に対応する数のパッデングビットを削除することによって前記下り制御情報を生成する情報生成ユニットを含む、基地局。
【請求項１１】
端末装置であって、
基地局が前記端末装置のためにキャリアセグメントを構成しており、キャリアセグメントを構成している端末装置の下り制御情報中のリソース割り当てフィールドのビット長と、キャリアセグメントを構成していない端末装置の下り制御情報中のリソース割り当てフィールドのビット長とが等しくないとき、前記端末装置は、
下り制御情報の生成方法に基いて、制御チャネルの共通サーチスペースにおいて、対応する下り制御情報を検出する第一ブラインド検出ユニットを含み、
前記下り制御情報は、基地局が所定方法に基いて生成したものであり、前記下り制御情報のビット長と、前記共通サーチスペースのキャリアセグメントを構成していない端末装置の同じフォーマットの下り制御情報のビット長とが等しくなるようにさせる、端末装置。
【請求項１２】
請求項11に記載の端末装置であって、
前記下り制御情報は、基地局が独立キャリアのバンド幅に基づて前記下り制御情報中のリソース割り当てフィールドのビット長を確定する方式、又は、前記下り制御情報がユーザ専用下り制御情報である時に、パッデングビットを削除する方式で、生成される、端末装置。
【請求項１３】
下り制御情報の送信方法であって、
キャリアセグメントを構成している端末装置の下り制御情報中のリソース割り当てフィールドのビット長と、キャリアセグメントを構成していない端末装置の下り制御情報中のリソース割り当てフィールドのビット長とが等しくないとき、前記方法は、
基地局が制御チャネルの共通サーチスペースにおいて、キャリアセグメントを構成している端末装置に、対応するユーザ専用下り制御情報を送信せず、ユーザ専用サーチスペースにおいて、ユーザ専用下り制御情報を送信することを含む、方法。
【請求項１４】
請求項13に記載の方法であって、さらに、
前記基地局が制御チャネルの共通サーチスペースにおいて、キャリアセグメントを構成している端末装置に、対応する共通下り制御情報を送信することを含み、
前記共通下り制御情報中のリソース割り当てフィールドのビット長は、独立キャリアのバンド幅に基づて確定され、前記共通下り制御情報のビット長と、前記共通サーチスペースのキャリアセグメントを構成していない端末装置の同じフォーマットの下り制御情報のビット長とが等しくなるようにさせる、方法。
【請求項１５】
ブラインド検出方法であって、
キャリアセグメントを構成している端末装置の下り制御情報中のリソース割り当てフィールドのビットと、キャリアセグメントを構成していない端末装置の下り制御情報中のリソース割り当てフィールドのビット長とが等しくないとき、前記方法は、
キャリアセグメントを構成している端末装置が、制御チャネルのユーザ専用サーチスペースにおいて、ユーザ専用下り制御情報を検出し、制御チャネルの共通サーチスペースにおいて、ユーザ専用下り制御情報を検出しない、ことを含む、方法。
【請求項１６】
請求項15に記載の方法であって、さらに、
キャリアセグメントを構成している端末装置が、制御チャネルの共通サーチスペースにおいて、共通下り制御情報を検出することを含み、
前記共通下り制御情報中のリソース割り当てフィールドのビット長は、独立キャリアのバンド幅に基づて確定される、方法。
【請求項１７】
基地局であって、
キャリアセグメントを構成している端末装置の下り制御情報中のリソース割り当てフィールドのビット長と、キャリアセグメントを構成していない端末装置の下り制御情報中のリソース割り当てフィールドのビット長とが等しくないとき、前記基地局は、
制御チャネルの共通サーチスペースにおいて、キャリアセグメントを構成している端末装置送信に、対応するユーザ専用下り制御情報を送信せず、ユーザ専用サーチスペースにおいて、ユーザ専用下り制御情報を送信する第二情報送信ユニットを含む、基地局。
【請求項１８】
請求項17に記載の基地局であって、さらに、
制御チャネルの共通サーチスペースにおいて、前記キャリアセグメントを構成している端末装置に、対応する共通下り制御情報を送信する第三情報送信ユニットを含み、
前記共通下り制御情報中のリソース割り当てフィールドのビット長は、独立キャリアのバンド幅に基いて確定され、前記共通下り制御情報のビットと、前記共通サーチスペースのキャリアセグメントを構成していない端末装置の同じフォーマットの下り制御情報のビット長とが等しくなるようにさせる、基地局。
【請求項１９】
端末装置であって、
基地局が前記端末装置のためにキャリアセグメントを構成しており、キャリアセグメントを構成している端末装置の下り制御情報中のリソース割り当てフィールドのビット長と、キャリアセグメントを構成していない端末装置の下り制御情報中のリソース割り当てフィールドのビット長とが等しくないとき、前記端末装置は、
制御チャネルのユーザ専用サーチスペースにおいてユーザ専用下り制御情報を検出し、制御チャネルの共通サーチスペースにおいてユーザ専用下り制御情報を検出しない第二ブラインド検出ユニットを含む、端末装置。
【請求項２０】
請求項19に記載の端末装置であって、さらに、
制御チャネルの共通サーチスペースにおいて共通下り制御情報を検出する第三ブラインド検出ユニットを含み、
前記共通下り制御情報中のリソース割り当てフィールドのビット長は、独立キャリアのバンド幅に基づて確定される、端末装置。
【請求項２１】
コンピュータ可読プログラムであって、
基地局において前記プログラムを実行するときに、前記プログラムは、コンピュータに、前記基地局において請求項1〜4及び請求項13〜14の任意の１項に記載の下り制御情報の送信方法を実行させる、プログラム。
【請求項２２】
コンピュータ可読プログラムを記憶した記憶媒体であって、
前記コンピュータ可読プログラムは、コンピュータに、基地局において請求項1〜4及び請求項13〜14の任意の１項に記載の下り制御情報の送信方法を実行させる、記憶媒体。
【請求項２３】
コンピュータ可読プログラムであって、
端末装置におい前記プログラムを実効するときに、前記プログラムは、コンピュータに、前記端末装置において請求項5、6、15又は16に記載のブラインド検出方法を実行させる、プログラム。
【請求項２４】
コンピュータ可読プログラムを記憶した記憶媒体であって、
前記コンピュータ可読プログラムは、コンピュータに、前記端末装置において請求項5、6、15又は16に記載のブラインド検出方法を実行させる、記憶媒体。
【発明の詳細な説明】
【技術分野】
【０００１】
本発明は、通信分野に関し、特に、下り制御情報の送信方法及びブラインド検出方法、基地局及び端末装置に関する。
【背景技術】
【０００２】
高データレートの要求を満足するために、LTE-A（Long  Term  Evolution  Advanced、LTE-A)システムでは、高データレートの要求を満足し得るバンド幅をサポートするために、キャリアアグリゲーション技術が提案されている。キャリアアグリゲーション技術では、各アグリゲーションのキャリアが、コンポーネントキャリア(Component  Carrier、CC)と称される。
【０００３】
LTE-AシステムのRel-10では、キャリアのタイプは、後方交換性キャリア(Backward  Compatibal  Carrier)及び非後方交換性キャリア(Non-backward  Compatible  Carrier)を含む。該後方交換性キャリアは、Rel-10の端末がアクセスすることができ、且つ、Rel-8及びRd-9の端末がアクセスすることもできる。しかし、該非後方交換性キャリアは、構成によってRel-10の端末がアクセスすることができるが、Rel-8及びRel-9の端末がアクセスすることができない。そのうち、非後方交換性キャリアは、拡張キャリア（Extension  Carrier)及びキャリアセグメント（Carrier  Segment)を含む。この２種類のキャリアは、独立でワーキングすることができず、後方交換性キャリアと一緒にワーキングする必要がある。以下、後方交換性キャリアを「独立キャリア（Stand-alone  CC)）と称する。
【０００４】
LTEシステムでは、３種類の下りリソース割り当て方法、即ち、リソース割り当てタイプ0、リソース割り当てタイプ1、及びリソース割り当てタイプ2が定義されている。基地局は、下り制御情報（Downlink  Control  Information、DCI)中のリソース割り当て(Resource  Assignment、RA)フィールドによって、リソース割り当て情報を端末に通知する。リソース割り当て情報は、システムバンド幅に関連するので、RAフィールドのビット長は、バンド幅が異なることによって変化する。
【０００５】
１つの基地局の下では、同時に、Rd-8/9/lOの端末及びRel-11の端末がある。基地局が同時に独立キャリア及びキャリアセグメントを構成している場合、独立キャリアは、すべてのタイプの端末からのアクセスを許可することができるが、キャリアセグメントは、Rel-11の端末のみからのアクセスを許可するよう構成することができ、且つ、Rd-11の端末が１つの独立キャリアにアクセスした後でなければならない。このように、Rel-8/9/lOの端末及びRel-11の端末のシステムバンド幅が異なる場合があり、これによって、DCI中のRAフィールドのビット長が異なるようになり、同じDCI  format(フォーマット）のユーザのビット長（payload)が異なることをもたらす。
【０００６】
LTE/LTE-Aシステムでは、下り制御チャネル（PDCCH)の共通サーチスペース（Common  Search  Space)及びユーザ専用サーチスペース（UE-Specification  Search  Space)が定義されている。共通サーチスペース内では、システムメッセージ、ページング、機能制御、ランダムアクセスなどに関する共通情報を送信することができ、対応する下り制御情報（DCI)は、共通DCIと称されてもよく、SI-RNTI、P-RNTI、RA-RNTI、Temporary  C-RNTI、TPC-RNTIによってスクランブリングすることができ、例えば、この種のDCIは、フォーマット0/1A/3/3A/1Cなどを含む。また、共通サーチスペース内では、ユーザ専用情報を送信することもでき、対応するDCIは、ユーザ専用DCIと称されてもよく、SPSC-RNTI又はC-RNTIによってスクランブリングすることができ、例えば、この種のDICは、フォーマット0/1Aなどを含む。ユーザ端末のPDCCHのブラインド検出の回数を減らし、ユーザの計算複雑度を低減するために、共通サーチスペース中では、DCIの長さが2種類のみを有し、即ち、DCIフォーマット1C及びDCIフォーマット0/1A/3/3Aに対応するDCIの長さの２種類を有する。
【０００７】
表1には、上述の各種のRNTI（Radio  Network  Temporary  Identifier、RNTI)の機能を示している。
【表１】
2014531836.tif 000003
【０００８】
しかし、本発明の実現過程では、本発明の発明者は、キャリアセグメントを構成しているユーザ端末の下り制御情報（DCI)の長さと、Rd-8/9/lOのユーザ端末の下り制御情報の（DCI)長さとが異なる場合があるため、キャリアセグメントを構成しているユーザ端末のDCIが共通サーチスペースにおいて送信されれば、共通サーチスペース中のDCIの長さが3種類になり、このようにすると、ユーザ端末のブラインド検出の回数が増加することをもたらし、これによって、受信端末の計算復雑度を増加させてしまうとのことを発見した。今のところ、この問題を解決し得る有効な方法はまだない。
【０００９】
なお、上述の技術背景の紹介は、本発明の技術案を明確且つ完全に説明し、また、当業者がそれを容易に理解し得るためのもののみである。これらの案が本発明の背景技術の部分に記載されているから、上述の技術案は当業者に既知であるとは思われてはいけない。
【発明の概要】
【発明が解決しようとする課題】
【００１０】
本発明の実施例の目的は、下り制御情報の送信方法及びブラインド検出方法、基地局及び端末装置を提供することにあり、該方法は、共通サーチスペースにおいて新しいDCIの長さが出現することを避けることができ、このようにして、端末装置のブラインド検出の回数の増加及び端末装置の計算複雑度の増加を防止することができるので、キャリアセグメントを構成している端末装置に適する。
【課題を解決するための手段】
【００１１】
本発明の実施例の一側面によれば、下り制御情報の送信方法が提供され、キャリアセグメントを構成している端末装置の下り制御情報中のリソース割り当てフィールドのビット長と、キャリアセグメントを構成していない端末装置の下り制御情報中のリソース割り当てフィールドのビット長とが同じでない時に、該方法は、
基地局が、キャリアセグメントを構成している端末装置の下り制御情報のビット長と、キャリアセグメントを構成していない端末装置の同じフォーマットの下り制御情報のビット長とが等しくなるよう、下り制御情報を生成し；及び
該基地局が、制御チャネルの共通サーチスペースにおいて、キャリアセグメントを構成している端末装置に該下り制御情報を送信し、該下り制御情報は、共通下り制御情報又はユーザ専用下り制御情報である、ことを含む。
【００１２】
本発明の実施例の他の側面によれば、ブラインド検出方法が提供され、キャリアセグメントを構成している端末装置の下り制御情報中のリソース割り当てフィールドのビット長と、キャリアセグメントを構成していない端末装置の下り制御情報中のリソース割り当てフィールドのビット長とが同じでない時に、該方法は、
キャリアセグメントを構成している端末装置が、下り制御情報の生成方法に基いて、制御チャネルの共通サーチスペースにおいて、対応する下り制御情報を検出することを含み、
そのうち、該下り制御情報は、基地局が所定方法に基いて生成したものであり、これによって、キャリアセグメントを構成している端末装置の下り制御情報のビット長と、該共通サーチスペースにおける、キャリアセグメントを構成していない端末装置の同じフォーマットの下り制御情報のビット長とは、等しくなる。
【００１３】
本発明の実施例の他の側面によれば、基地局が提供され、キャリアセグメントを構成している端末装置の下り制御情報中のリソース割り当てフィールドのビット長と、キャリアセグメントを構成していない端末装置の下り制御情報中のリソース割り当てフィールドのビット長とが同じでない時に、該基地局は、
キャリアセグメントを構成している端末装置の下り制御情報のビット長と、キャリアセグメントを構成していない端末装置の同じフォーマットの下り制御情報のビット長とが等しくなるよう、下り制御情報を生成する第一情報生成ユニット；及び
制御チャネルの共通サーチスペースにおいて、キャリアセグメントを構成している端末装置に該下り制御情報を送信する第一情報送信ユニットであって、該下り制御情報は、共通下り制御情報又はユーザ専用下り制御情報である、第一情報送信ユニットを含む。
【００１４】
本発明の実施例の他の側面によれば、端末装置が提供され、基地局が該端末装置のためにキャリアセグメントを構成しており、キャリアセグメントを構成している端末装置の下り制御情報中のリソース割り当てフィールドのビット長と、キャリアセグメントを構成していない端末装置の下り制御情報中のリソース割り当てフィールドのビット長とが同じでない時に、該端末装置は、
下り制御情報の生成方法に基いて、制御チャネルの共通サーチスペースにおいて、対応する下り制御情報を検出する第一ブラインド検出ユニットを含み、
そのうち、該下り制御情報は、基地局が所定方法に基いて生成したものであり、これによって、該下り制御情報のビット長と、該共通サーチスペースにおける、キャリアセグメントを構成していない端末装置の同じフォーマットの下り制御情報のビット長とは、等しくなる。
【００１５】
本発明の実施例の他の側面によれば、下り制御情報の送信方法が提供され、キャリアセグメントを構成している端末装置の下り制御情報中のリソース割り当てフィールドのビット長と、キャリアセグメントを構成していないの端末装置の下り制御情報中のリソース割り当てフィールドのビット長とが同じでない時に、該方法は、
基地局が、制御チャネルの共通サーチスペースにおいて、キャリアセグメントを構成している端末装置に、対応するユーザ専用下り制御情報を送信するのでなく、ユーザ専用サーチスペースにおいてユーザ専用下り制御情報を送信することを含む。
【００１６】
本発明の実施例の他の側面によれば、ブラインド検出方法が提供され、キャリアセグメントを構成している端末装置の下り制御情報中のリソース割り当てフィールドのビット長と、キャリアセグメントを構成していない端末装置の下り制御情報中のリソース割り当てフィールドのビット長とが同じでない時に、該方法は、
キャリアセグメントを構成している端末装置が、制御チャネルのユーザ専用サーチスペースにおいて、ユーザ専用下り制御情報を検出し、制御チャネルの共通サーチスペースにおいて、ユーザ専用下り制御情報を検出しない、ことを含む。
【００１７】
本発明の実施例の他の側面によれば、基地局が提供され、キャリアセグメントを構成している端末装置の下り制御情報中のリソース割り当てフィールドのビット長と、キャリアセグメントを構成していない端末装置の下り制御情報中のリソース割り当てフィールドのビット長とが同じでない時に、該基地局は、
制御チャネルの共通サーチスペースにおいて、キャリアセグメントを構成している端末装置に、対応するユーザ専用の下り制御情報を送信するのでなく、ユーザ専用サーチスペースにおいて、ユーザ専用の下り制御情報を送信する第二情報送信ユニットを含む。
【００１８】
本発明の実施例の他の側面によれば、端末装置が提供され、基地局が該端末装置のためにキャリアセグメントを構成しており、キャリアセグメントを構成している端末装置の下り制御情報中のリソース割り当てフィールドのビット長と、キャリアセグメントを構成していない端末装置の下り制御情報中のリソース割り当てフィールドのビット長とが同じでない時に、該端末装置は、
制御チャネルのユーザ専用サーチスペースにおいて、ユーザ専用下り制御情報を検出し、制御チャネルの共通サーチスペースにおいて、ユーザ専用下り制御情報を検出しない第二ブラインド検出ユニットを含む。
【００１９】
本発明の実施例の他の側面によれば、コンピュータ可読プログラムが提供され、そのうち、基地局において前記プログラムを実行する時に、前記プログラムは、コンピュータに、前記基地局において上述の下り制御情報の送信方法を実行させる。
【００２０】
本発明の実施例の他の側面によれば、コンピュータ可読プログラムを記憶した記憶媒体が提供され、そのうち、前記コンピュータ可読プログラムは、コンピュータに、基地局において上述の下り制御情報の送信方法を実行させる。
【００２１】
本発明の実施例の他の側面によれば、コンピュータ可読プログラムが提供され、そのうち、端末装置において前記プログラムを実行する時に、前記プログラムは、コンピュータに、該端末装置において上述のブラインド検出方法を実行させる。
【００２２】
本発明の実施例の他の側面によれば、コンピュータ可読プログラムを記憶した記憶媒体が提供され、そのうち、前記コンピュータ可読プログラムは、コンピュータに、該端末装置において上述のブラインド検出方法を実行させる。
【００２３】
本発明の実施例の有益な効果は、下り制御チャネル（PDCCH)の共通サーチスペースにおいてキャリアセグメントを構成している端末装置に下り制御情報（DCI)を送信する時に、その下り制御情報DCIと、該共通サーチスペースにおける他の端末装置の同じフォーマットのDCIとのビット長が一致するようにさせることで、或いは、共通サーチスペースにおいて、キャリアセグメントを構成している端末装置にユーザ専用下り制御情報DCIを送信することを避けることで、端末装置のブラインド検出の回数の増加を避けることができ、これによって、端末装置の計算複雑度の増加を避けることができる。
【００２４】
後述の説明及び図面により、本発明の特定の実施形態を詳細に開示し、本発明の原理を採用し得る方式を明確にする。なお、本発明の実施形態は、範囲上ではそれに限定されない。添付した特許請求の範囲の精神及び技術的範囲内では、本発明の実施形態は、あらゆる変更、変形及び代替によるものを含む。
【００２５】
実施形態について説明した及び/又は示した特徴は、同じ又は類似した方式で、一つ又は複数の他の実施形態に使用し、他の実施形態における特徴と組み合わせ、又は、他の実施形態における特徴を置換することができる。
【００２６】
なお、"包括/含む"のような用語は、本文に使用する時に、特徴、装置全体、ステップ又はアセンブリの存在を指すが、一つ又は複数の他の特徴、装置全体、ステップ又はアセンブリの存在又は付加を排除しないことをも指す。
【図面の簡単な説明】
【００２７】
以下の図面に基づく詳細な説明により、本発明の実施例の上述及び他の目的、特徴及び利点がより明確になる。
【図１】キャリアセグメントの構成図である。
【図２】本発明の実施例1における下り制御情報の送信方法のフローチャートである。
【図３】本発明の実施例2における下り制御情報の送信方法フローチャートである。
【図４】本発明の実施例3におけるブラインド検出方法のフローチャートである。
【図５】本発明の実施例4における基地局の構成図である。
【図６】本発明の実施例5における端末装置の構成図である。
【図７】本発明の実施例6における下り制御情報の送信方法フローチャートである。
【図８】本発明の実施例8における基地局の構成図である。
【発明を実施するための形態】
【００２８】
以下、図面を参照しながら本発明の各種の実施形態について説明する。これらの実施形態は、例示的なものだけであり、本発明を限定するためのものではない。当業者が容易に本発明の原理及び実施形態を理解し得るために、本発明の実施形態では、LTE-A/LTEシステムを例として、キャリアセグメント（Carrier  Segment、CS)を構成している端末装置の下り制御情報の送信方法及びブラインド検出方法について説明しているが、理解すべきは、本発明は、上述のシステムに限定されず、上述の状況の下で下り制御情報の送信及び受信に関する他のシステムにも適用し得るとのことである。
【００２９】
基地局がユーザのためにキャリアセグメントCSを構成しているとき、キャリアセグメントCSは、連続した周波数領域リソースであり、且つ、従来のLTEシステムキャリアに隣接し、よって、併合して新たなより大きいバンド幅のキャリアをなすことができる。
【００３０】
図1は、キャリアセグメントの構成図である。図1に示すように、例えば、5MHzのバンド幅のLTEシステムキャリアC1(独立キャリア）と、1.4MHzのバンド幅キャリアC2(セグメントキャリア）とが併合して6.4MHzのバンド幅キャリアC3をなし、そのうち、独立キャリアC1は、LTE  Rel-8/9/lOの端末装置にサービングすることができ、キャリアセグメントC2は、キャリアセグメントを構成している端末装置のみ、例えば、LTE-Advanced  Rel-11/12の端末装置にサービングすることができる。
【００３１】
LTEシステムでは、定義されている３種類の下りリソース割り当て方法は、すべて、DCI中のリソース割り当て（RA)フィールドにより指示され、そのビット長は、システムバンド幅が異なることによって変化する。表2は、キャリアセグメントのバンド幅が1.4MHz及び3MHzであるときの例であるが、キャリアセグメントのバンド幅は、これに限定されない。RAフィールドのビット長は、
【数１】
2014531836.tif 000004
であり、そのうち、NRBは、システムバンド幅が対応するRB数である。例えば、表3には、システムバンド幅が対応するRB数のマッピング関係を示している。表２は、RAフィールドのビット長を示す表である。
【表２】
2014531836.tif 000005
表3は、システムバンド幅と、リソースブロック（RB)とのマッピングを示す表である。
【表３】
2014531836.tif 000006
【００３２】
表4には、独立キャリアのバンド幅が5MHzに対応するDCI  1Aのビット長を示している。表5には、独立キャリアのバンド幅が5MHz、及び、キャリアセグメントのバンド幅が3MHzに対応するDCI  1Aのビット長を示している。表5に示すように、RAフィールドのビット長の増加により、該DCI  1Aのビット長が増加している。
【００３３】
表4は、DCI  1Aのビット長を示す表である。
【表４】
2014531836.tif 000007
【００３４】
表5は、DCI  1Aのビット長を示す表である。
【表５】
2014531836.tif 000008
【００３５】
上述から分かるように、表2に示すように、キャリアセグメントのバンド幅が1.4MHzであり、独立キャリアのバンド幅が1.4MHz、3MHzである時に、キャリアセグメントのバンド幅が3MHzであり、独立キャリアのバンド幅が1.4MHz、3MHz、5MHz及び10MHzである時に、キャリアセグメントを構成している端末装置と、Rel-8/9/lO端末装置とのリソース割り当て（RA)フィールドのビット長が異なり、これによって、DCIのビット長が異なるようになり、表4及び表5に示すように、このように、共通サーチスペースにおいて3種類のDCIのビット長が出現することをもたらし、即ち、本実施例では、DCI  1C、キャリアセグメントを構成していない端末装置のDCI  0/1A/3/3A、及び、キャリアセグメントを構成している端末装置のDCI  0/1Aの３種類の長さを含む。新しいDCIのビット長が出現しているので、端末装置がブラインド検出を行う時に、ブラインド検出の回数の増加及び端末装置の計算複雑度の増加を来し、また、パワー消耗が大きくなる。よって、キャリアセグメントを構成している端末装置と、キャリアセグメントを構成していない端末装置とのリソース割り当て（RA)フィールドのビット長が異なることによって、DCIのビット長が異なる場合に、本発明の実施例により、上述の問題の出現を避けることができる。
【００３６】
以下、図面を参照して本発明の実施例について詳細に説明する。
【００３７】
送信側：
図2は、本発明の実施例1における下り制御情報の送信方法のフローチャートである。図2に示すように、キャリアセグメントを構成している端末装置と、キャリアセグメントを構成していない端末装置とのリソース割り当て（RA)フィールドのビット長が異なる時に、該方法は、次のステップを含む。
【００３８】
ステップ201：基地局が所定方法に基いて下り制御情報を生成し、これによって、キャリアセグメントを構成している端末装置の下り制御情報（DCI)のビット長と、キャリアセグメントを構成していない端末装置の同じフォーマットの下り制御情報（DCI)のビット長とが同じようになる。
【００３９】
ステップ202：該基地局が制御チャネルの共通サーチスペースにおいて、キャリアセグメントを構成している端末装置に、その生成した下り制御情報（DCI)を送信し、そのうち、該下り制御情報は、共通下り制御情報であっても良く、ユーザ専用下り制御情報であってもよい。
【００４０】
以下、キャリアセグメントを構成している端末装置の下り制御情報（DCI)のビット長をL1で表し、キャリアセグメントを構成していない端末装置の同じフォーマットの下り制御情報(DCI)のビット長をL2で表する。
【００４１】
本実施例では、該制御チャネルは、下り制御チャネル、例えば、物理下り制御チャネル（Physical  Downlink  Control  Channel、PDCCH)を含んでも良く、該PDCCHは、共通サーチスペース及びユーザ専用サーチスペースに分けることができる。
【００４２】
本実施例では、キャリアセグメントを構成している端末装置について、基地局が共通サーチスペースにおいて、該端末装置に、対応する下り制御情報DCIを送信し、該下り制御情報DCIは、共通DCI、例えば、SI-RNTI、P-RNTI、RA-RNTI、Temporary  C-RNTI、TPC-RNTIによりスクランブリングされている、例えば、フォーマット0/1A/3/3A/1Cなどであってよい。また、該DCIは、ユーザ専用DCI、例えば、SPSC-RNTI又はC-RNTIによりスクランブリングされている、例えば、フォーマット0/1Aなどであっても良い。しかし、上述の下り制御情報DCIに限定されず、該共通サーチスペースに送信する他の下り制御情報DCIであってもよい。
【００４３】
本実施例では、キャリアセグメントを構成している端末装置と、キャリアセグメントを構成していない端末装置とのリソース割り当て（RA)フィールドのビット長が異なることによって、DCIのビット長が異なるようになる場合に、従来技術中の問題を解決するために、基地局が所定方法に基いてDCIを生成し、L1がL2と同じであるようになることを保証する。よって、キャリアセグメントを構成している端末装置の下り制御情報のビット長と、該共通サーチスペースにおける、キャリアセグメントを構成していない端末装置の同じフォーマットの下り制御情報のビット長とが同じであるようになり、このように、共通サーチスペースのビット長の増加を避けることができ、これによって、端末装置のブラインド検出の回数の増加及び計算複雑度の増加を避けることができる。
【００４４】
本実施例では、ステップ201において、基地局が以下の方法で該DCIを生成し、これによって、キャリアセグメントを構成している端末装置の下り制御情報のビット長L1と、キャリアセグメントを構成していない端末装置の同じフォーマットの下り制御情報のビット長L2とが同じであるようになる。
【００４５】
第一種：該下り制御情報DCI中のリソース割り当て（RA)フィールドのビット長は、後方交換性独立キャリアのバンド幅に基いて確定し、このように、L1がL2と同じであるようになることを保証でき、この種の方法は、共通サーチスペースに送信する共通DCI及びユーザ専用DCIの両方に適用する。
【００４６】
例えば、独立キャリアのバンド幅が5MHzであり、構成されているキャリアセグメントのバンド幅が3MHzである時に、キャリアセグメントを構成している端末装置について、該独立キャリアのバンド幅5MHzに基いて、該DCI中のRAフィールドのビット長が9であると確定し、このように、L1がL2と同じであるようになることを保証できる。
【００４７】
第二種：ユーザ専用DCIについて、パッデングビット（padding  bits)を削除することによって、L1がL2と同じであるようにさせることもできる。そのうち、具体的には、該基地局が独立キャリアのバンド幅及び構成されているキャリアセグメントのバンド幅に基いて、該下り制御情報DCI中のRAフィールドのビット長L3を確定し、その後、該L3と、キャリアセグメントを構成していない端末装置の同じフォーマットの下り制御情報中のRAフィールドのビット長L4との差（L3-L4)を確定し、その後、該差に相当する数のパッデングビットを削除することを含む、このようにして、L1がL2と同じであるようになることを保証できる。
【００４８】
例えば、独立キャリアのバンド幅が5MHzであり、構成されているキャリアセグメントのバンド幅が3MHzである時に、キャリアセグメントを構成している端末装置について、独立キャリアのバンド幅及び構成されているキャリアセグメントのバンド幅（5MHz+3MHz)に基いて、該下り制御情報DCI中のRAフィールドのビット長L3=10と確定し、キャリアセグメントを構成していない端末装置について、そのDCI中のRAフィールドのビット長L4=9と確定し、このように、該L3とL4の差がL3-L4=lであり、そして、それ相応に1つのパッデングビットを削除し、このようにして、L1がL2と同じであるようになることを保証できる。
【００４９】
上述から分かるように、キャリアセグメントを構成していることにより、生成されているDCIのRAフィールドのビット長の増加をもたらすので、該DCI中のパッデングビットを削除することによって、L1がL2に等しくなることを保証でき、そのうち、パッデングビットの削除の数は、RAフィールドのビット長の増加の数と同じである。
【００５０】
上述の２種類の方法は、本発明の実施例のみであり、上述の方法に限定されず、L1=L2となるようにさせることができる他の方法をも含む。
【００５１】
以下、具体的な実例、例えば、キャリアセグメントを構成している端末装置に共通サーチスペースにおいてDCI  format  1Aを送信することを例として説明を行う。例えば、独立キャリアのバンド幅が5MHzであり、キャリアセグメントのバンド幅が3MHzである。
【００５２】
図3は、本発明の実施例2における下り制御情報の送信方法のフローチャートである。L1がL2に等しくない時に、図3に示すように、該方法は、次のステップを含む。
【００５３】
ステップ301：基地局が、機能の違いに基いて、キャリアセグメントを構成している端末装置のために、対応するDCIのソースビットを生成し、そのうち、生成したDCIのビット長L1は、キャリアセグメントを構成していない端末装置の同じフォーマットのDICのビット長L2とは同じである。
【００５４】
そのうち、伝送モード及システムのニーズに基いて、対応するDCIのソースビットを生成しても良く、そのうち、生成したDCIのソースビットのプロセスは、従来技術に類似するため、ここでは、詳しい説明を省略する。
【００５５】
該DCIのタイプは、共通DCIであっても良く、ユーザ専用DCIであっても良く、また、上述のようであるため、ここでは、詳しい説明を省略する。
【００５６】
例えば、表4及び表5に示すように、キャリアセグメントを構成している端末装置のDCIのビット長と、キャリアセグメントを構成していないDCIのビット長とが異なるため、本実施例では、DCI  format  lAを生成する時に、該基地局は、独立キャリアのバンド幅に基いてRAフィールドのビット長を確定することができ、即ち、5MHzに基いて、RAフィールドのビット数が9(表1に示すよう)であると確定し、L1=L2となるようにさせ、例えば、表5には、5MHzに基いてRAフィールドのビット長を確定するのであり、5MHz+3MHzに基いて確定するのではない。
【００５７】
或いは、該DCI  format  1Aがユーザ専用DCIである時に、パッデングビットを削除することにって、L1=L2となるように保証することができ、即ち、まず、独立キャリアのバンド幅及びキャリアセグメントのバンド幅に基いて、RAフィールドのビット数を確定し、即ち、（5MHz+3MHz)によれば、RAフィールドのビット数が10(表1に示すよう）であることを把握でき、このように、1つのパッデングビットを削除することによって、L1=L2となることを保証でき、表5に示すように、（5MHz+3MHz)に基いて得たRAフィールドのビット長が10であり、そのため、1ビットのパッデングビットを削除する必要があり、よって、表5中の1ビットのパッデングビットを削除し、LE=L2となることを保証する。
【００５８】
ステップ302：該基地局が、生成した該DCIのソースビットに、ＣＲＣ(Cyclic  Redundancy  Check、CRC)を追加する。
【００５９】
そのうち、CRCは、デジタル通信分野の最も常用するエラーチェックである。
【００６０】
本実施例では、DCIのためのCRC符号化が、16桁のチェックフィールドを採用し、また、チェックフィールドに、DCIの帰属及び機能を標識するためのRNTI情報を追加し、例えば、表1に示すSI-RNTI、P-RNTI、RA-RNTI、Temporary  C-RNTI、TPC-RNTIを追加すれば、即ち、上述のRNTI情報を用いてDCIに対してスクランブリングを行えれば、該DCIが共通DCIであり、且つ、その機能が表1示されることを表す。表1に示すSPS-RNTI、C-RNTIを追加すれば、即ち、上述のRNTI情報を用いてDCIに対してスクランブリングを行えれば、該DCIがユーザ専用DCIであり、且つ、その機能が表1に示されることを表す。
【００６１】
ステップ303：CRCを追加したDCIのソースビットに対して変調、符号化及びレートマッチングを行う。
【００６２】
ステップ304：物理制御チャネル（Physical  Downlink  Control  Channel、PDCCH)を形成し、対応する物理時間周波数リソースにマッピングし、また、PDCCHにより、端末装置に送信する。
【００６３】
上述のステップ302〜304の実現プロセスは、従来技術に類似するため、ここでは、詳しい説明を省略する。また、他のフォーマットのDCIを形成する方法は、上述の実施例に類似するため、ここでは、詳しい説明を省略する。
【００６４】
基地局は、上述の方法で、共通サーチスペースのビット長の増加を避けることができ、このように、基地局は、キャリアセグメントを構成している端末装置と事前に約束を行うことができ、例えば、該基地局は、メッセージによって該端末装置に通知するなどの方法で、該キャリアセグメントを構成している端末装置が、約束に従って、共通サーチスペースにおいて上述のDCIをサーチするようにさせることができる。
【００６５】
上述の実施例から分かるように、基地局は、独立キャリアのバンド幅に基いて、キャリアセグメントを構成している端末装置のDCI中のRAフィールドのビット長を確定し、又は、パッデングビットを削除する方法で、L1=L2となるようにさせ、また、制御チャネルの共通サーチスペースにおいて、キャリアセグメントを構成している端末装置に、対応する下り制御情報を送信し、このようにして、共通サーチスペースのビット長の増加を避けることができ、これによって、端末装置のブラインド検出の回数の増加及び計算複雑度の増加を避けることができる。
【００６６】
受信側：
キャリアセグメントを構成している端末装置について、本発明の実施例は、ブラインド検出方法を提供し、該方法は、キャリアセグメントを構成している端末装置が、下り制御情報の生成方法に基いて、制御チャネルの共通サーチスペースにおいて、対応する下り制御情報を検出することを含み、そのうち、該DCIは、基地局が所定方法に基いて生成しものであり、これによって、下り制御情報のビット長L1と、該共通サーチスペースにおける、キャリアセグメントを構成していない端末装置の同じフォーマットの下り制御情報のビット長L2とは等しくなる。
【００６７】
そのうち、以下の所定方法で、キャリアセグメントを構成している端末装置の下り制御情報のビット長L1と、キャリアセグメントを構成していない端末装置の同じフォーマットの下り制御情報のビット長L2とが等しくなるようにさせる。
【００６８】
独立キャリアのバンド幅に基いて、該キャリアセグメントを構成している端末装置の下り制御情報中のリソース割り当てフィールドのビット長を確定する方法、又は、パッデングビットを削除する方法で、L1=L2となるようにさせることは、具体的に、実施例1に記載のようであるので、ここでは、詳しい説明を省略する。
【００６９】
本実施例では、基地局が実施例1の方法を採用してDCIを送信すれば、該キャリアセグメントを構成している端末装置は、共通サーチスペースにおいてDCIを検出することができる。
【００７０】
本実施例では、該キャリアセグメントを構成している端末装置は、予め、基地局が如何にDCIを生成したかを知ることができ、即ち、基地局が独立キャリアのバンド幅に基いてRAフィールドのビット長を確定したか、又は、パッデングビットを削除する方法で該DCIを生成したかで、L1=L2となることを保証できることを事前に知ることができる。例えば、基地局は、シグナリングによって該端末装置を通知することができる。このように、該キャリアセグメントを構成している端末装置は、上述の情報を参照することでDCIを検出することができ、例えば、CRCチェックがOKだった後に、ソースビットを理解する時に、ソースビットの具体的な意味を判断するために用いる。
【００７１】
そのうち、該制御チャネルは、下り制御チャネル、例えば、物理下り制御チャネルPDCCHを含んでも良く、該PDCCHは、共通サーチスペース及びユーザ専用サーチスペースに分けることができる。
【００７２】
本実施例では、キャリアセグメントを構成している端末装置について、基地局が共通サーチスペースにおいて該端末装置に送信する下り制御情報DCIは、共通DCIであってもよく、ユーザ専用DCIであってもよく、そのうち、DCIフォーマットは、実施例1に記載のようであるため、ここでは、詳しい説明を省略する。しかし、上述の下り制御情報DCIに限定されず、該共通サーチスペースにおいて送信する他の下り制御情報DCIを含んでも良い。
【００７３】
以下、実例を参照しながら本発明の実施例におけるブラインド検出方法について説明する。図4は、本発明の実施例3における端末装置のブラインド検出方法のフローチャートである。図3に示すように、該方法は、先ず、キャリアセグメントを構成している端末装置が、伝送モードに基いて、可能なDCIを検出し、例えば、実施例1に記載のようなDCI  format  1Aを検出し、具体的には、次のステップを含む。
【００７４】
ステップ401：キャリアセグメントを構成している端末装置が、対応する時間周波数リソース上でPDCCHを受信する。
【００７５】
そのうち、共通サーチスペースに対応する時間周波数リソース上でPDCCHを受信する。
【００７６】
ステップ402：レートデマッチング（Rate  De-matching）、復調、及び復号化を行う。
【００７７】
本実施例では、ユーザが仮定したDCIのビット長（即ち、上述の２種類の方法で生成したDCIのビット長）に基いて、レートデマッチングを行うことで、変調符号化後のDCI情報を得ることができる。そのうち、該端末装置は、出現の可能性があるDCIフォーマットを分析し、検出待ちのDCIの長さ、即ち、レートデマッチングの出力の長さを計算する必要がある。
【００７８】
DCIの長さが複数ある可能性を有するなら、これらの複数の種類のDCIの長さがある可能性に基いて、複数回のレートデマッチング及び後続のチャネル復号化、CRCチェックなどのステップを行う必要がある。よって、基地局がDCIを生成する時にL1=L2となるようにさせることは、DCIの長さの種類を減らすことができ、これによって、レートデマッチング及び後続の復調、復号化、CRCチェックなどのステップを減らすことができる。
【００７９】
ステップ403：CRCチェックを行い、受信したDCI情報の正確性についての初期判断を行う。
【００８０】
そのうち、基地局はCRCの符号化を行った時に、CRCにRNTI情報を追加したため、該端末装置は、RNTIを抽出した上で、CRCチェックを行い、受信したDCIの正確性、帰属及び機能についての初期判断を行っても良い。具体的には、次の処理を含む。
【００８１】
該端末装置は、CRCの復号化により、シーケンスから16桁のCRC及びRNTI情報を抽出し、受信した信号に対してエラーチェックを行い、また、RNTI情報に基いてDCIの帰属及び機能を判断する。
【００８２】
そのうち、基地局は、SI-RNTI、P-RNTI、RA-RNTI、Temporary  C-RNTI、TPC-RNTIのうちの任意の一つを用いてDCIに対してスクランブリングを行った場合、該端末装置は、上述のRNTI情報を得ることができ、また、上述のRNTI情報に基いて、該DCIが共通DCIであること及び該DCIの機能を把握することができ、基地局は、SPS-RNTI又はC-RNTIを用いて該DCIに対してスクランブリングを行った場合、該端末装置は、上述のRNTI情報を得ることができ、また、上述のRNTI情報に基いて、該DCIがユーザ専用DCIであること及び該DCIの機能を知ることができる。
【００８３】
ステップ404：ステップ403での判断結果がCRCチェック正確であるときに、該DCI内の標識（Flag）に基いて、対応するDCIを検出したと確定する。
【００８４】
そのうち、該DCI内の標識に基いて、該DCIのフォーマットを確定することができ、表5に示すように、該標識は、1ビットにより表されても良く、例えば、該標識が"1"である時に、該DCIがDCI  format  0であることを示し、該標識が"1"である時に、該DCIがDCI  format  1Aであることを示し、ここで得た標識の値が"1"であれば、検出したDCIのフォーマットが1Aであると確定することができ、即ち、該端末装置が対応するDCIを検出したと確定し、プロセスが終了する。
【００８５】
ステップ405：ステップ403での判断結果がCRCチェック誤りであるときに、さらに、現在のブラインド検出の回数が所定回数を超えるかどうかを判断し、超えた場合、ステップ406を行い、そうでなければ、ステップ401を行う。
【００８６】
ステップ406：ステップ405での判断結果が「はい」のときに、該PDCCHを捨て、プロセスが修了する。
【００８７】
上述の実施例では、ステップ403での判断結果がCRCチェック誤りであるときに、ステップ406を直接実行しても良く、該ステップ405は、オプションである。
【００８８】
また、ステップ403でCRCチェックが通過できた後に、該端末装置は、さらに、事前に知ったDCIのソースビットの生成方法に基いて、該DCIのソースビットの具体的な意味を判断することもできる。
【００８９】
上述の実施例から分かるように、L1がL2に等しくない場合、キャリアセグメントを構成している端末装置について、基地局がDCIを生成した時にL1=L2となるようにさせたため、共通サーチスペース中のビット長が増加することがなく、このように、端末装置のブラインド検出の回数の増加及び計算複雑度の増加を避けることができる。
【００９０】
本発明の実施例は、さらに、基地局及び端末装置を、次の実施例4及び実施例5に記載のように提供する。該基地局及び端末装置が問題を解決する原理は、上述の基地局及び端末装置に基くDCIの送信方法及びブラインド検出方法に類似するため、該基地局及び端末装置の実施は、上述の方法の実施を参照することができるので、重複説明を省略する。
【００９１】
図5は、本発明の実施例4における基地局の構成図である。図5に示すように、該基地局は、第一情報生成ユニット501及び第一情報送信ユニット502を含み、そのうち、第一情報生成ユニット501は、下り制御情報を生成し、該キャリアセグメントを構成している端末装置の下り制御情報のビット長L1と、キャリアセグメントを構成していない端末装置の同じフォーマットの下り制御情報のビット長L2とが同じであるようにさせるために用いられ、第一情報送信ユニット502は、制御チャネルの共通サーチスペースにおいて、キャリアセグメントを構成している端末装置に該下り制御情報を送信するために用いられ、該下り制御情報は、共通下り制御情報又はユーザ専用下り制御情報である。
【００９２】
本実施例では、第一情報生成ユニット501が該下り制御情報を生成する時に、該キャリアセグメントを構成している端末装置の下り制御情報中のリソース割り当てフィールドのビット長が独立キャリアのバンド幅に基いて確定され、このように、L1=L2を保証できる。この種の方法は、共通DCI及びユーザ専用DCIの両方に適用する。
【００９３】
本実施例では、該キャリアセグメントを構成している端末装置の下り制御情報がユーザ専用下り制御情報である時に、第一情報生成ユニット501が、パッデングビットを削除する方法で該下り制御情報を生成する。この種の場合、第一情報生成ユニット501は、確定ユニット、計算ユニット及び情報生成ユニットを含んでも良い。
【００９４】
該確定ユニットは、独立キャリアのバンド幅及び構成されているキャリアセグメントのバンド幅に基いて、前記キャリアセグメントを構成している端末装置の下り制御情報中のリソース割り当てフィールドのビット長を確定するために用いられ、該計算ユニットは、前記キャリアセグメントを構成している端末装置の下り制御情報中のリソース割り当てフィールドのビット長と、キャリアセグメントを構成していない端末装置の同じフォーマットの下り制御情報中のリソース割り当てフィールドのビット長との差を計算するために用いられ、該情報生成ユニットは、該差に対応する数のパッデングビットを削除することで該下り制御情報を生成するために用いられる。
【００９５】
また、第一情報送信ユニット501は、従来の任意の方法を採用して該DCIを送信しても良く、本実施例では、第一情報送信ユニットは、CRC符号化モジュール、変調符号化モジュール、レートマッチングモジュール及びマッピングモジュールを含んでもよい。実施例1に記載のように、該CRC符号化モジュールは、先ず、生成したDCIのソースビットに、CRC（Cyclic  Redundancy  Check、CRC)を追加し、また、その同時に、RNTI情報を追加してもよく、該変調符号化モジュールは、CRCを追加したDCIのソースビットに対して変調符号化を行い、該レートマッチングモジュールは、変調符号化後の情報に対してレートマッチングを行い、該マッピングモジュールは、物理制御チャネル（Physical  Downlink  Control  Channel、PDCCH)を生成し、対応する物理時間周波数リソースにマッピングし、また、PDCCHにより端末装置に送信する。具体的なプロセスは、図3のステップ302〜304のようであるので、ここでは、詳しい説明を省略する。
【００９６】
上述から分かるように、基地局は、上述の第一情報送信ユニット501により、上述の方法で生成したDCIを、共通サーチスペースにおいて、キャリアセグメントを構成している端末装置に送信する。このように、該基地局は、さらに、通知ユニット（図示せず）を含んでも良く、上述のDCIの生成方法を端末装置に通知し、これによって、該キャリアセグメントを構成している端末装置と事前に約束を行うことで、該キャリアセグメントを構成している端末装置が約束に従って共通サーチスペースにおいて上述のDICをサーチするようにさせることができる。
【００９７】
上述の実施例から分かるように、基地局は、制御チャネルの共通サーチスペースにおいて、キャリアセグメントを構成している端末装置のために、対応する下り制御情報を生成し、該下り制御情報のビット長と、制御チャネルの共通サーチスペースにおける、キャリアセグメントを構成していない端末装置の同じフォーマットの下り制御情報のビット長とが同じであるようにさせ、このように、共通サーチスペースのビット長の増加を避けることができ、端末装置のブラインド検出の回数の増加及び計算複雑度の増加を避けることができる。
【００９８】
図6は、本発明の実施例5における端末装置の構成図である。そのうち、基地局は、該端末装置のために、キャリアセグメントを構成し、図6に示すように、該端末装置は、第一ブラインド検出ユニット601を含み、第一ブラインド検出ユニット601は、下り制御情報の生成方法に基いて、制御チャネルの共通サーチスペースにおいて、対応する下り制御情報を検出するために用いられ、そのうち、該下り制御情報は、基地局が所定方法に基いて生成したものであり、該下り制御情報のビット長L1と、該共通サーチスペースにおけるキャリアセグメントを構成していない端末装置の同じフォーマットの下り制御情報のビット長L2とが同じであるようにさせる。
【００９９】
本実施例では、該第一ブラインド検出ユニット601は、受信モジュール、レートデマッチングモジュール、復調復号化モジュール、CRC復号化モジュールを含んでも良く、そのうち、受信モジュールは、対応する時間周波数リソース上でPDCCHを受信し、レートデマッチングモジュールは、レートデマッチングを行い、該復調復号化モジュールは、レートデマッチング後のDCIに対して復調復号化を行い、該CRC復号化モジュールは、復調復号化後のDCIに対してCRCチェックを行い、受信したDCI情報の正確性についての初期判断を行い、チェックが正確であるなら、該DCI内の標識に基いて、対応するDCIを検出したと確定する。そのうち、各モジュールのワーキングプロセスは、4に示す実施例3のステップ401〜403に対応するので、ここでは、詳しい説明を省略する。
【０１００】
また、本実施例では、該端末装置は、さらに、情報受信ユニット602を含んでも良く、基地局が送信した通知メッセージを受信するために用いられ、これによって、該キャリアセグメントを構成している端末装置が基地局のDCIの生成方式を知ることができる。
【０１０１】
上述の実施例から分かるように、キャリアセグメントを構成している端末装置について、制御チャネルの共通サーチスペースにおいて検出した下り制御情報のビット長と、該共通サーチスペースにおけるキャリアセグメントを構成していない端末装置の同じフォーマットの下り制御情報のビット長とが同じであるため、このように、端末装置のブラインド検出回数の増加及び計算複雑度の増加を避けることができる。
【０１０２】
本発明の実施例は、さらに、下り制御情報の送信方法を提供し、キャリアセグメントを構成している端末装置の下り制御情報中のリソース割り当てフィールドのビット長と、キャリアセグメントを構成していない端末装置の下り制御情報中のリソース割り当てフィールドのビット長とが同じでない時に、該方法は、基地局が制御チャネルの共通サーチスペースにおいて、キャリアセグメントを構成している端末装置に、対応するユーザ専用下り制御情報を送信するのでなく、ユーザ専用サーチスペースにおいて、ユーザ専用下り制御情報を送信することを含む。
【０１０３】
上述から分かるように、共通サーチスペースにおいて、キャリアセグメントを構成している端末のユーザ専用DCIを送信しないことで、共通サーチスペースのビット長の増加を避けることができ、これによって、端末装置のブラインド検出の回数の増加及び計算複雑度の増加を避けることができる。
【０１０４】
本実施例では、基地局は、DCIのタイプに基いて、対応する領域でDCIを送信することができる。そのうち、制御チャネルのユーザ専用サーチスペースは、ユーザ専用下り制御情報を送信し、制御チャネルの共通サーチスペースは、該キャリアセグメントを構成している端末装置に、対応する共通下り制御情報を送信し、この種の場合は、該共通下り制御情報のビット長と、該共通サーチスペースにおけるキャリアセグメントを構成していない端末装置の同じフォーマットの下り制御情報のビット長とが同じである。
【０１０５】
また、該方法は、さらに、該基地局が、前記キャリアセグメントを構成している端末装置の共通又はユーザ専用の下り制御情報を生成し、該共通下り制御情報中のリソース割り当てフィールドのビット長は、独立キャリアのバンド幅に基いて確定される。
【０１０６】
以下、具体的な実例、例えば、キャリアセグメントを構成している端末装置にDCI  format  1Aを送信することを例として説明を行い、例えば、独立キャリアのバンド幅が5MHzであり、キャリアセグメントのバンド幅が3MHzであり、このように、キャリアセグメントを構成している端末装置の下り制御情報中のリソース割り当てフィールドのビット長と、キャリアセグメントを構成していない端末装置の下り制御情報中のリソース割り当てフィールドのビット長とが同じではない。
【０１０７】
図7は、本発明の実施例6における下り制御情報の送信方法のフローチャートである。図7に示すように、該方法は、次のステップを含む。
【０１０８】
ステップ701：基地局が機能の違いに基いて、キャリアセグメントを構成している端末装置のために、対応するDCIのソースビットを生成する。
【０１０９】
そのうち、生成したDCIは、共通DCI又はユーザ専用DCIであってもよい。
【０１１０】
生成したDCIが共通DCIである時に、そのビット長L1と、キャリアセグメントを構成していない端末装置の同じフォーマットのDCIのビット長L2とが同じである。
【０１１１】
そのうち、伝送モード及システムのニーズに基いて、対応するDCIのソースビットを生成することができ、DCIのソースビットの生成プロセスは、従来技術に類似するため、ここでは、詳しい説明を省略する。
【０１１２】
例えば、ここで生成したDCI  format  lAが共通DCIである時に、そのうち、RAフィールドのビット長は、独立キャリアのバンド幅に基いて確定され、即ち、5MHzに基いて、RAフィールドのビット数が9(表1に示すよう）であると確定し、L1=L2となるようにさせる。
【０１１３】
本実施例では、生成したDCI  format  1Aがユーザ専用DCIである時に、該ユーザ専用DCIを共通サーチスペースにおいて送信しないため、L1=L2を保証する必要がない。
【０１１４】
ステップ702：該基地局が、生成した該DCIのソースビットに、CRC(Cyclic  Redundancy  Check、CRC)を追加する。
【０１１５】
そのうち、CRCは、デジタル通信分野の最も常用する一種のエラーチェックである。
【０１１６】
本実施例では、DCIのためのCRC符号化は、16桁をチェックフィールドとして採用し、また、チェックフィールドに、DCIの帰属及び機能を標識するためのRNTI情報をも追加する。
【０１１７】
例えば、表1に示すSI-RNTI、P-RNTI、RA-RNTI、Temporary  C-RNTI、TPC-RNTIを追加すれば、即ち、上述のRNTI情報を用いてDCIに対してスクランブリングを行うなら、該DCIが共通DCIであり且つその機能が表1に示されるとのことを示し、表1に示すSPS-RNTI、C-RNTIを追加すれば、即ち、上述のRNTI情報を用いてDCIに対してスクランブリングを行うなら、該DCIがユーザ専用DCIであり且つその機能が表1に示されるとのことを示す。
【０１１８】
ステップ703：CRCを追加したDCIのソースビットに対して変調符号化及びレートマッチングを行う。
【０１１９】
ステップ704：物理制御チャネル（Physical  Downlink  Control  Channel、PDCCH)を形成し、対応する物理時間周波数リソースにマッピングし、また、PDCCHにより端末装置に送信し、そのうち、ステップ702でSI-RNTI、P-RNTI、RA-RNTI、Temporary  C-RNTI、TPC-RNTIのうちの一つを用いた時に、即ち、該DCIが共通DCIであるときに、ステップ704では、該DCIをPDCCHの共通サーチスペースにおいて送信する。
【０１２０】
ステップ702でSPS-RNTI、C-RNTIのうちの一つを用いた時に、即ち、該DCIがユーザ専用DCIであるときに、ステップ704では、該DCIをPDCCHのユーザ専用サーチスペースにおいて送信する。
【０１２１】
そのうち、ステップ702〜704は、実施例1のステップ302〜304に類似するため、ここでは、詳しい説明を省略する。
【０１２２】
本実施例では、基地局は、上述の方法で、共通サーチスペースのビット長の増加を避けることができ、このように、基地局は、キャリアセグメントを構成している端末装置と事前に約束を行うことで、例えば、メッセージによって該端末装置に通知するなどの方法で、該キャリアセグメントを構成している端末装置が約束に従って、共通サーチスペースにおいて該共通DCIを検索し、ユーザ専用サーチスペースにおいて該ユーザ専用DCIを検索するようにさせることができる。
【０１２３】
上述の実施例から分かるように、基地局は、制御チャネルの共通サーチスペースにおいてユーザ専用DCIを送信することを避け、このように、共通サーチスペースのビット長の増加を避けることができ、これによって、端末装置のブラインド検出の回数の増加及び計算複雑度の増加を避けることができる。
【０１２４】
本発明の実施例7は、ブラインド検出方法を提供し、該方法は、キャリアセグメントを構成している端末装置に用い、該キャリアセグメントを構成している端末装置の下り制御情報中のリソース割り当てフィールドのビット長と、キャリアセグメントを構成していない端末装置の下り制御情報中のリソース割り当てフィールドのビット長とが同じではない。該方法は、キャリアセグメントを構成している端末装置が、制御チャネルのユーザ専用サーチスペースにおいて、ユーザ専用下り制御情報を検出し、制御チャネルの共通サーチスペースにおいてユーザ専用下り制御情報を検出しないというステップを含む。
【０１２５】
該キャリアセグメントを構成している端末装置は、制御チャネルの共通サーチスペース検において制御情報を検出し、そのうち、該共通下り制御情報中のリソース割り当てフィールドのビット長は、独立キャリアのバンド幅に基いて確定される。
【０１２６】
実際の実施では、端末装置は、ブラインド検出を行う時に、基地局が現在の時刻に送信したユーザ専用DCIを知ることができない。このように、該端末装置は、共通領域及びユーザ専用領域の両方において捜索する。該端末装置が共通領域において捜索する時に、共通DCIのみを捜索し、即ち、SI-RNTI、P-RNTI、TPC-RNTI、RA-RNTI又はTemporary  C-RNTIによりスクランブリングされているDCIのみを捜索し、ユーザ専用領域において捜索する時に、ユーザ専用DCIを捜索する。
【０１２７】
上述の実施例では、端末装置が共通サーチスペース及びユーザ専用サーチスペースにおいて、対応するDCIを検出するプロセスは、実施例2のプロセスと類似するので、ここでは、詳しい説明を省略する。
【０１２８】
上述の実施例6及び7では、制御チャネルはPDCCHであっても良い。
【０１２９】
基地局が実施例6に記載の送信方法を採用する時に、該基地局は、該端末装置に通知することができ、これによって、該端末装置は、実施例7に記載の方法でそのDCIを検出することができる。該基地局は、該送信情報をシグナリングにより該ユーザ設備に通知することができる。
【０１３０】
上述の実施例から分かるように、キャリアセグメントを構成している端末装置について、制御チャネルの共通サーチスペースにおいてユーザ専用DCIの送信を避けるため、端末装置はDCIを検出する時に、DCIのタイプに基いて、それぞれ、共通捜索領域及びユーザ専用サーチスペースにおいて捜索を行い、このように、端末装置のブラインド検出回数の増加及び計算複雑度の増加を避けることができる。
【０１３１】
本発明の実施例は、さらに、基地局及び端末装置を、次の実施例8及び9に記載のように提供する。該基地局及び端末装置が問題を解決する原理は、上述の基地局及び端末装置に基くリソース割り当て方法に類似するため、該基地局及び端末装置の実施は、上述の方法の実施を参照することができるので、重複説明を省略する。
【０１３２】
図8は、本発明の実施例8おける基地局の構成図である。図8に示すように、該基地局は、第二情報送信ユニット801を含み、第二情報送信ユニット801は、制御チャネルの共通サーチスペースにおいて、キャリアセグメントを構成している端末装置に、対応するユーザ専用下り制御情報を送信するのではなく、ユーザ専用サーチスペースにおいて、ユーザ専用下り制御情報を送信するのである。
【０１３３】
図8に示すように、該基地局は、さらに、第三情報送信ユニット802を含み、第三情報送信ユニット802は、制御チャネルの共通サーチスペースにおいて、該キャリアセグメントを構成している端末装置に、対応する共通下り制御情報を送信するために用いられ、そのうち、該共通下り制御情報のビット長と、該共通サーチスペースのキャリアセグメントを構成していない端末装置の同じフォーマットの下り制御情報のビット長とは、同じである。
【０１３４】
図8に示すように、該基地局は、さらに、第三情報生成ユニット803を含んでも良く、第三情報生成ユニット803は、該キャリアセグメントを構成している端末装置の共通又はユーザ専用の下り制御情報を生成するために用いられ、該共通下り制御情報中のリソース割り当てフィールドのビット長は、独立キャリアのバンド幅に基いて確定される。共通DCI生成時に、該DCIを第三情報送信ユニット802に入れて送信してもらい、ユーザ専用DCI生成時に、該DCIを第二情報送信ユニット801に入れて送信してもらう。
【０１３５】
本実施例では、第二情報送信ユニット801及び第三情報送信ユニット802の送信方式は、実施例2の第一情報送信ユニット502の構成及び機能作用と類似するため、ここでは、詳しい説明を省略する。
【０１３６】
本発明の実施例9は、端末装置を提供し、該基地局は、該端末装置のために、キャリアセグメントを構成しており、該端末装置は、第二ブラインド検出ユニットを含み、該第二ブラインド検出ユニットは、制御チャネルのユーザ専用サーチスペースにおいて、ユーザ専用の下り制御情報を検出し、制御チャネルの共通サーチスペースにおいて、ユーザ専用下り制御情報を検出しないために用いられる。
【０１３７】
また、該端末装置は、さらに、第三ブラインド検出ユニットを含み、該第三ブラインド検出ユニットは、制御チャネルの共通サーチスペースにおいて、共通下り制御情報を検出するために用いられ、該共通下り制御情報中のリソース割り当てフィールドのビット長は、独立キャリアのバンド幅に基いて確定される。
【０１３８】
そのうち、該第二、第三ブラインド検出ユニットは、実施例5の第一ブラインド検出ユニットの構成及び機能に類似するため、ここでは、詳しい説明を省略する。
【０１３９】
上述の実施例では、端末装置は移動電話であっても良く、通信能力を持つ任意の設備、例えば、ゲーム機、PDA、ノートPCなどであっても良い。
【０１４０】
上述の実施例から分かるように、基地局は、制御チャネルの共通サーチスペースにおいてユーザ専用DCIを送信することを避け、このように、共通サーチスペースのビット長の増加を避けることができ、これによって、端末装置のブラインド検出の回数の増加及び計算複雑度の増加を避けることができる。
【０１４１】
本発明の実施例は、さらに、コンピュータ可読プログラムを提供し、そのうち、基地局において該プログラムを実行する時に、該プログラムは、コンピュータに、該基地局において実施例1、2及び6に記載の下り制御情報の送信方法を実行させる。
【０１４２】
本発明の実施例は、さらに、コンピュータ可読プログラム記憶した記憶媒体を提供し、そのうち、該コンピュータ可読プログラムは、コンピュータに、基地局において、実施例1、2及び6に記載の下り制御情報の送信方法を実行させる。
【０１４３】
本発明の実施例は、さらに、コンピュータ可読プログラムを提供し、そのうち、端末において該プログラムを実行する時に、該プログラムは、コンピュータに、該端末において上述の実施例3及び7に記載のブラインド検出方法を実行させる。
【０１４４】
本発明の実施例は、さらに、コンピュータ可読プログラムを記憶した記憶媒体を提供し、そのうち、該コンピュータ可読プログラムは、コンピュータに、該端末において上述の実施例3及び7に記載のブラインド検出方法を実行させる。
【０１４５】
図5、図6及び図8について説明した機能ブロック中の１つ又は複数、及び/又は、機能ブロックの１つ又は複数の組み合わせは、本願に記載の機能を実行するための汎用処理器、デジタル信号処理器（DSP)、専用集積回路（ASIC)、FPGA、又は、他のプログラミング可能なロジック部品、独立したゲート又はトランジスタによるロジック部品、独立したハードウェア部品又はそれらの任意の適切な組みわせとして実現され得る。また、計算装置の組み合わせ、例えば、DSP及びマイクロ処理器の組み合わせ、複数のマイクロ処理器、DSPと通信結合される１つ又は複数のマイクロ処理器又は任意の他のこの種の構成として実現され得る。
【０１４６】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。ロジック部品は、例えば、FPGA部品、マイクロプロセッサー、コンピュータに用いる処理器などであっても良い。本発明は、さらに、上述のプログラムを記録している記憶媒体、例えば、ハードディスク、磁気ディスク、光ディスク、DVD、flashメモリなどにも関する。
【０１４７】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2014531836.tif 000009
【図２】
2014531836.tif 000010
【図３】
2014531836.tif 000011
【図４】
2014531836.tif 000012
【図５】
2014531836.tif 000013
【図６】
2014531836.tif 000014
【図７】
2014531836.tif 000015
【図８】
2014531836.tif 000016
【国際調査報告】
2014531836.tif 000017
2014531836.tif 000018
2014531836.tif 000019
2014531836.tif 000020
2014531836.tif 000021
2014531836.tif 000022
2014531836.tif 000023
2014531836.tif 000024
2014531836.tif 000025
2014531836.tif 000026